(57)【要約】【課題】恒久的に使用可能な商品展示具１０の提供。【解決手段】収納部２５の後方にカード保持部１８が設けられている。収納部２５は仕切板１７によって２つの収納室２６に区画されており、この収納室２６に商品の見本や包装体が収納される。カード保持部１８は、背面板１５、１６と、スペーサー２２とによって構成されている。背面板１５と背面板１６との間に隙間２１が形成されている。この隙間２１には、商品情報が表示されたカード（ポップ）が差し込まれる。展示される商品が変更される場合は、カードが交換される。商品展示具１０は、恒久的に使用されうる。一方の背面板１６の高さは他方の背面板１５の高さよりも高い。カードを差し込む者は、背面板１６に案内させつつ、カードを差し込むことができる。【選択図】  図１
2005065755.tif 000002
【特許請求の範囲】
【請求項１】
商品又は商品の包装体が収納される収納部と、この商品に関する情報が表示されたカードが保持されるカード保持部とを備えており、合成樹脂から構成されている商品展示具。
【請求項２】
上記カード保持部が対向配置された一対の背面板を備えており、これら背面板の間に差し込まれることでカードが保持されるように構成された請求項１に記載の商品展示具。
【請求項３】
上記カード保持部の一方の背面板の高さが他方の背面板の高さと異なっている請求項１又は請求項２に記載の商品展示具。
【請求項４】
上記収納部の少なくとも一部が透明合成樹脂から構成されている請求項１から請求項３のいずれか１項に記載の商品展示具。
【発明の詳細な説明】
【０００１】
【発明の属する技術の分野】
この発明は、商品の展示に用いられる展示具（「ディスプレイ」とも称されている）に関するものである。
【０００２】
【従来の技術及び発明が解決しようとする課題】
新規な医薬品の発売に際し、宣伝目的で、薬局の店内に見本としての商品や、この商品の包装箱が展示されることがある。展示には、商品展示具が用いられる。図５は、従来から一般的に使用されている商品展示具１の斜視図である。この図に示された商品展示具１は、医薬品が収納される収納部２と、収納部２の背後に配置された表示板３とを備えている。商品展示具１は通常、合成樹脂からなる。表示板３には、商品に関する情報が表示される。表示板３により、商標、製造メーカー、発売時期、効能、価格、キャッチフレーズ、使用方法等の商品情報が消費者に周知される。
【０００３】
ところで、商品情報は商品の種類ごとに異なるので、展示される商品の変更に伴って表示すべき内容が変更となるたびに、商品展示具１が取り替えられる。また、例えば「新発売」との記載がなされた商品展示具１が用いられる場合において、発売から相当期間が経過した場合は、「新発売」との記載がない商品展示具１に取り替えられる必要がある。使用後の商品展示具１は、廃棄される。前述のように商品展示具１は合成樹脂製なので、省資源及び自然環境保護の観点から、この廃棄は好ましいことではない。合成樹脂製の商品展示具１は比較的高価なので、これが頻繁に取り替えられることは、コスト面からも好ましいことではない。
【０００４】
紙製の商品展示具も提案されている（例えば、特開平８−２９２７２２号公報参照）。この商品展示具は低コストで得られ、しかも焼却処分が容易である。しかし、紙製の商品展示具は高級感がなく、消費者へのアピール度に欠ける。また、紙製の商品展示具は軽量なので、展示時の安定感に欠ける。さらに、紙製の商品展示具は耐久性に劣るので、長期間の展示には不向きである。
【０００５】
本発明はこのような実情に鑑みてなされたものであり、恒久的に使用可能な商品展示具の提供を目的とするものである。
【０００６】
【課題を解決するための手段】
本発明に係る商品展示具は、商品又は商品の包装体が収納される収納部と、この商品に関する情報が表示されたカードが保持されるカード保持部とを備えている。この商品展示具は、合成樹脂から構成されている。
【０００７】
この商品展示具では、展示される商品が変更される場合でもカードのみが交換されれば足りる。したがって、商品展示具は恒久的に使用されうる。この商品展示具は合成樹脂製なので、安定性及び耐久性に優れる。
【０００８】
好ましくは、カード保持部は、対向配置された一対の背面板を備える。そして、これら背面板の間に差し込まれることでカードが保持される。このカード保持機構は、簡便である。
【０００９】
好ましくは、一方の背面板の高さは他方の背面板の高さと異なる。これにより、カードの差し込みが容易となる。
【００１０】
好ましくは、収納部の少なくとも一部は、透明合成樹脂から構成される。この収納部では、収納された商品等が外部から観察されやすい。
【００１１】
【発明の実施の形態】
以下、適宜図面が参照されつつ、好ましい実施形態に基づいて本発明が詳細に説明される。
【００１２】
図１は本発明の一実施形態に係る商品展示具１０が示された斜視図であり、図２は図１のＩＩ−ＩＩ線に沿った断面図である。
【００１３】
この商品展示具１０は、例えば薬局において商品としての医薬品等を店頭に展示するためのものである。もっとも、この商品展示具１０は、医薬品等に限らず、一般に店頭に展示される他の様々な商品に適用されうる。
【００１４】
商品展示具１０は、底板１１と、一対の側板１２、１３と、前面板１４と、背面板１５、１６と、仕切板１７とを備えている。これらの部材１１〜１７が図１及び図２に示されるように組み合わされることで、商品展示具１０が構成されている。これら各部材１１〜１７は、合成樹脂（例えばアクリル樹脂）から構成されている。
【００１５】
底板１１は矩形状を呈しており、この底板１１の両側部分に直交するように側板１２、１３が取り付けられている。側板１２は図に示されたような五角形状に形成されており、側板１３は側板１２と左右対称形に形成されている。また、前面板１４は図に示すような矩形状を呈しており、底板１１の前部及び側板１２、１３の前部に当接するように取り付けられている。
【００１６】
背面板１５と背面板１６とはいずれも平板であり、互いに対向配置されている。背面板１５は矩形状を呈しており、底板１１の中央部に立設されている。背面板１５は、側板１２と側板１３との間に挟み込まれるようにして配設されており、後方へ傾斜されている。なお、背面板１５は、底板１１に対して直立するように設けられていてもよい。
【００１７】
また、背面板１６は矩形状に形成されており、背面板１５の後方に配置されている。背面板１６はその高さ寸法が背面板１５のそれよりも小さく設定されており、背面板１５よりも細長い矩形状を呈している。背面板１６も側板１２と側板１３との間に挟み込まれるようにして配設されている。
【００１８】
背面板１６の上縁部２０は、背面板１５の上縁部１９との間に所定の隙間２１をあけて平行に配置されている。背面板１６の上縁部２０は、背面板１５の上縁部１９よりも上方に配置されている。背面板１６の下縁部には、スペーサー２２が配設されている。スペーサー２２は、図２に示されるように、背面板１５及び背面板１６に当接し、かつこれらに挟持されるように設けられている。両背面板１５、１６とスペーサー２２とによって、カード保持部１８が形成されている。カード保持部１８は、背面板１５と背面板１６との間に空間２３を備えている。この空間２３に、展示される商品の情報が記載されたカード（いわゆるポップ）が差し込まれる。なお、本実施形態ではスペーサー２２は細長の板部材に構成されており、これが背面板１５と背面板１６との間に介在されているが、スペーサー２２を背面板１５又は背面板１６と一体的に形成することもできる。また、スペーサー２２が省略され、両背面板１５、１６の下端同士が直接接合されてもよい。
【００１９】
底板１１、側板１２、側板１３、前面板１４及び背面板１５によって、収納部２５が形成されている。換言すれば、背面板１５は、カード保持部１８の前面を構成すると共に、収納部２５の背面をも構成する。このような構成とすることにより、商品展示具１０の製造コストの上昇を抑えることができる。
【００２０】
収納部２５は、仕切板１７によって２つの収納室２６に区画されている。各収納室２６には、商品の見本や包装箱が収納される。仕切板１７は底板１１に立設されており、且つ図１に示されるように背面板１５、底板１１及び前面板１４に当接されている。なお、仕切板１７は１枚に限定されるものではなく、複数設けられていてもよい。この場合は、収納部２５が複数の収納室２６に区画される。
【００２１】
次に、商品展示具１０の使用方法について説明する。展示されるべき医薬品は、収納部２５の収納室２６に収納される。そして、その状態で商品展示具１０は、店舗内の所要の場所に配置される。これにより、医薬品は、顧客に対してわかりやすく展示される。カードは、カード保持部１８に差し込まれる。カードの下端は、スペーサー２２と当接する。カードの上部は、背面板１５、１６よりも上方に位置する。カードのうち背面板１５、１６よりも上方に位置する領域には、展示される医薬品の情報が表示される。
【００２２】
このようなカード保持部１８が設けられているので、展示される医薬品の種類が変わったとしても、その対応は容易である。なぜなら、店舗の店員、医薬品メーカーのセールスマン等は、カードを交換するだけで、展示品の変更に対応することができるからである。これにより、商品展示具１０が使い捨てされる必要がなくなる。
【００２３】
前述のように、背面板１６の上縁部２０は、背面板１５の上縁部１９よりも上方に配置されている。換言すれば、背面板１５と背面板１６とは、高さが異なる。カードを交換する者は、カードの下端を背面板１６に押し当ててカードをこの背面板１６で案内させつつ、容易にカードを差し込むことができる。
【００２４】
収納部２５を構成する板１２、１３、１４、１７の少なくとも一部が透明材料から構成されることにより、収納部２５の内部が観察されやすい。消費者は、展示されている商品を一目で確認することができる。特に、前面板１４が透明材料から構成されるのが好ましい。
【００２５】
図３は本発明の他の実施形態に係る商品展示具３０の要部が示された斜視図であり、図４は図３のＩＶ−ＩＶ線に沿った部分拡大断面図である。この商品展示具３０は、一対のベース板３１、３２と、複数の収納部３３と、スペーサー３４とを備えている。ベース板３１、ベース板３２、収納部３３及びスペーサー３４は、合成樹脂（例えばアクリル樹脂）から構成されている。収納部を構成する合成樹脂は、透明である。
【００２６】
収納部３３は、接着剤等の手段によってベース板３１に固定されている。図３では便宜上５つの収納部３３が図示されているが、実際には多数の収納部３３がベース板３１に等間隔で規則正しく整列されている。
【００２７】
スペーサー３４は、両ベース板３１、３２の間に挟持されている。スペーサー３４は、ベース板３２の左右の側部及び下方部と当接する形状である。スペーサー３４により、両ベース板３１、３２の間に隙間３５が形成される。スペーサー３４及び両ベース板３１、３２により、カード保持部３６が形成される。
【００２８】
この商品展示具３０では、商品又は商品の包装体が収納部３３に収納される。一方、商品情報が表示されたカード（ポップ）が、カード保持部３６に差し込まれる。商品展示具３０は、壁等に掛けられる。展示される商品が変更される場合は、カードが差し替えられる。商品展示具３０は、恒久的に使用されうる。
【００２９】
図４から明らかなように、ベース板３１とベース板３２とは互いにその高さが異なる。カードを交換する者は、カードの下端をベース板３２に押し当ててカードをベース板３２で案内させつつ、容易にカードを差し込むことができる。
【００３０】
【発明の効果】
以上説明されたように、本発明の商品展示具は、異なる商品の展示に使用されうる。また、同一商品が展示される場合でも、状況に応じて異なるカードが保持されうる。この商品展示具は、省資源及び自然環境維持に寄与しうる。
【図面の簡単な説明】
【図１】図１は、本発明の一実施形態に係る商品展示具が示された斜視図である。
【図２】図２は、図１のＩＩ−ＩＩ線に沿った断面図である。
【図３】図３は、本発明の他の実施形態に係る商品展示具の要部が示された斜視図である。
【図４】図４は、図３のＩＶ−ＩＶ線に沿った部分拡大断面図である。
【図５】図５は、従来の商品展示具が示された斜視図である。
【符号の説明】
１０、３０・・・商品展示具
１１・・・底板
１２、１３・・・側板
１４・・・前面板
１５、１６・・・背面板
１７・・・仕切板
１８、３６・・・カード保持部
２２、３４・・・スペーサー
２５、３３・・・収納部
２６・・・収納室
３１、３２・・・ベース板
【図１】
2005065755.tif 000003
【図２】
2005065755.tif 000004
【図３】
2005065755.tif 000005
【図４】
2005065755.tif 000006
【図５】
2005065755.tif 000007